(57)【特許請求の範囲】
【請求項１】
貼着部において包装体に貼付される封緘ラベルであって、
封緘基材の両側領域の裏面側が貼着部とされ且つ前記封緘基材の中間領域の裏面が非貼着部とされており、
前記封緘基材の両側領域のうち少なくとも一方の側領域が前記中間領域の裏面側に折り返されている、封緘ラベル。
【請求項２】
貼着部において包装体に貼付される封緘ラベルであって、
裏面が前記貼着部とされた支持基材と、前記支持基材上に積層された封緘基材であってその両側領域の裏面が前記支持基材に接着され且つ中間領域の裏面が前記支持基材に対して非貼着とされた封緘基材と、を有し、
前記封緘基材の両側領域のうち少なくとも一方の側領域が前記中間領域の裏面側に折り返されている、封緘ラベル。
【請求項３】
前記封緘基材の両側領域が前記中間領域の裏面側に折り返されている、請求項１または２に記載の封緘ラベル。
【発明の詳細な説明】
【技術分野】
【０００１】
本発明は、包装体の封緘に用いられる封緘ラベルに関する。
【背景技術】
【０００２】
医薬品、食品、化粧品などの商品を、包装箱又は包装袋などに入れた様々な包装体が流通している。
かかる包装体の不正開封や改ざん行為を防止するため、包装体の開封部に封緘ラベルが貼付されている。
封緘ラベルとしては、包装体から剥離すると隠し印刷された文字や記号が現れるもの、包装体から剥離しようとするとスリットに沿って切り裂かれるもの、包装体から一旦剥離すると再貼付できなくなるものなどが知られている（特許文献１の［０００２］）。
しかしながら、誰かが、包装体から封緘ラベルを剥離しないで、封緘ラベルを鋭利な刃（例えば、剃刀やカッターナイフなど）で切断した場合、封緘ラベルが切断されたことを一見して判別することが困難である。
【０００３】
そこで、特許文献１には、両端域が容器表面に対する貼着代として裏面に接着剤層が形成され、容器の角部にあてがわれる中間域の裏面が非接着性とされ、前記両端域のフィルム面にはラベル破断用スリットが形成された封緘用ラベルが開示されている。
かかる特許文献１の封緘ラベルは、中間域が非接着とされているので、不正に鋭利な刃物で切断された場合に、切断に伴ってその部分が容器表面から浮き上がった状態となる。このため、その外観異常から、不正開封を判別できる。
しかしながら、封緘ラベルの中間域が単に非接着とされているだけでは、切断後の封緘ラベルが容器表面から離れず、不正に切断されたことを一見して判別でき難いという問題点がある。
【０００４】
また、特許文献２には、引張りテンションを掛けた上フィルムと引張りテンションを掛けない下フィルムとからなるカール特性を有するカールフィルムを用いた封緘ラベルが開示されている。
かかる封緘ラベルは、不正に鋭利な刃物で切断された場合に、カールフィルムの切断端部がカールするので、不正に切断されたことを一見して判別できる。
しかしながら、引張りテンションを掛けた上フィルムを下フィルムに積層したカールフィルムは製造し難く、それを封緘ラベルに加工することも技術的に難しい。さらに、通常、封緘ラベルは離型紙上に仮貼付されて供給されるが、カールフィルムを用いた封緘ラベルは、離型紙に仮貼付して保管・搬送している間にカールして、その端部が離型紙から剥がれるおそれがある。
【先行技術文献】
【特許文献】
【０００５】
【特許文献１】特開２００２−１６２９０９号公報
【特許文献２】特開２００５−２４１７４９号公報
【発明の概要】
【発明が解決しようとする課題】
【０００６】
本発明の目的は、切断されたときに包装体から離れて反り上がり、不正開封を一見して判別できる封緘ラベルを提供することである。
【課題を解決するための手段】
【０００７】
本発明の第１の封緘ラベルは、貼着部において包装体に貼付される封緘ラベルであって、封緘基材の両側領域の裏面側が貼着部とされ且つ前記封緘基材の中間領域の裏面が非貼着部とされており、前記封緘基材の両側領域のうち少なくとも一方の側領域が前記中間領域の裏面側に折り返されている。
【０００８】
上記第１の封緘ラベルは、貼着部を介して包装体に貼着して使用される。
本発明の封緘ラベルは、封緘基材の両側領域のうち少なくとも一方の側領域が中間領域の裏面側に折り返されているので、中間領域が折り回復性を有する。封緘基材の中間領域を切断してそれが２つの切断片に分断されると、折り返された側領域に繋がる切断片が、反発によって包装体から反り上がる。
よって、不正に開封されたことを一見して判別できる。
【０００９】
本発明の第２の封緘ラベルは、貼着部において包装体に貼付される封緘ラベルであって、裏面が貼着部とされた支持基材と、前記支持基材上に積層された封緘基材であってその両側領域の裏面が前記支持基材に接着され且つ中間領域の裏面が前記支持基材に非貼着とされた封緘基材と、を有し、前記封緘基材の両側領域のうち少なくとも一方の側領域が前記中間領域の裏面側に折り返されている。
【００１０】
上記第２の封緘ラベルは、上記第１の封緘ラベルと同様に、封緘基材の中間領域が２つの切断片に分断されると、折り返された側領域に繋がる切断片が、反発によって包装体から反り上がるので、不正開封を一見して判別できる。
また、封緘基材が支持基材に接着されているので、封緘ラベルを貼付する際に、封緘基材の両側領域が捲れたり或いは折れ曲がることなく、封緘ラベルを所定位置に綺麗に貼付できる。
【００１１】
好ましくは、前記封緘基材の両側領域が前記中間領域の裏面側に折り返されている。
【発明の効果】
【００１２】
本発明の封緘ラベルは、封緘基材が切断されたときに包装体から離れて反り上がるので、不正開封を一見して判別できる。
また、本発明の封緘ラベルは、封緘基材の側領域を折り返すことによって形成できるので、比較的容易に製造できる。
【図面の簡単な説明】
【００１３】
【図１】第１実施形態に係る封緘ラベルの平面図。
【図２】同側面図。
【図３】図１のＩＩＩ−ＩＩＩ線断面図。
【図４】図１のＩＶ−ＩＶ線断面図。
【図５】封緘ラベルが貼付された包装体の斜視図。
【図６】図５のＶＩ−ＶＩ線断面図。
【図７】図６に示す封緘ラベルを切断したときの断面図。
【図８】第２実施形態に係る封緘ラベルの平面図。
【図９】同側面図。
【図１０】第２実施形態の変形例に係る封緘ラベルの側面図。
【図１１】第２実施形態の更なる変形例に係る封緘ラベルの側面図。
【図１２】他の実施形態に係る封緘ラベルの側面図。
【図１３】更なる他の実施形態に係る封緘ラベルの側面図。
【図１４】更なる他の実施形態に係る封緘ラベルの平面図。
【図１５】図１４のＸＶ−ＸＶ線断面図。
【図１６】封緘ラベルが包装箱の平面部に貼付された包装体の斜視図。
【発明を実施するための形態】
【００１４】
［第１実施形態］
図１乃至図４において、第１実施形態の封緘ラベル１は、封緘基材２及び支持基材３の少なくとも２つの基材と、貼着部４と、を有する。
貼着部４は、支持基材３の裏面に設けられている。本発明において、貼着部４は、包装体に封緘ラベル１を貼付するために必要な部分であって、包装体に貼り付く部分である。
封緘基材２は、支持基材３の上に積層されている。封緘基材２の両側領域２１，２２の裏面が支持基材３の表面に接着されている。一方、封緘基材２の中間領域２３の裏面は、支持基材３に非接着とされ（接着されていない）、支持基材３上に重ねられている。
封緘基材２の両側領域２１，２２は、折り目５１，５２において中間領域２３の裏面側に折り返されている。
【００１５】
具体的には、封緘基材２及び支持基材３は、平面視所定形状に形成されており、本実施形態では、封緘基材２及び支持基材３は、図１に示すように、平面視略矩形状に形成されている。
両側領域２１，２２を折り返す前の封緘基材２の一方向Ｘの長さは、支持基材３の一方向Ｘの長さよりも長いが、両側領域２１，２２を折り返した後の封緘基材２の一方向Ｘの長さ（つまり、封緘基材２の中間領域２３の一方向Ｘの長さ）は、図１及び図２に示すように、支持基材３のそれよりも短い。このように折り返した後の封緘基材２の一方向Ｘの長さを短く形成することにより、支持基材３の一部分３ａが封緘基材２によって覆われず、その一部分３ａを直接視認できる。
【００１６】
封緘基材２の他方向Ｙ（基材の面内で、一方向Ｘと直交する方向）の長さは、支持基材３の他方向Ｙの長さと同じとされている。
もっとも、折り返した後の封緘基材２と支持基材３の各一方向Ｘの長さは同じでもよいし、折り返した後の封緘基材２の一方向Ｘの長さが支持基材３のそれよりも長くてもよい。また、封緘基材２の他方向Ｙの長さが、支持基材３のそれよりも長い又は短くてもよい。
【００１７】
前記封緘基材２は、折り曲げ可能な柔軟性を有するシートであれば特に限定されず、公知のシートを利用できる。封緘基材２としては、例えば、紙、合成紙、合成樹脂シート、発泡樹脂シート、及びこれらを２層以上積層した積層シートなどが挙げられる。折り回復性に優れていることから、封緘基材２として、紙、合成紙、合成樹脂シート、又はこれらから選ばれる少なくとも１つを有する積層シートを用いることが好ましく、特に、折り回復性に優れていることから、紙、合成紙又はこれらの少なくとも何れか一方を有する積層シートがより好ましい。
【００１８】
前記紙としては、上質紙、中質紙、コート紙などが挙げられる。
前記合成紙としては、ポリエステル系合成紙、ポリプロピレン系合成紙などが挙げられる。
前記合成樹脂シートとしては、ポリエステル系、ポリプロピレンなどのポリオレフィン系、ポリアミド系などのシートが挙げられる。
封緘基材２の厚みは、特に限定されない。もっとも、封緘基材２が余りに薄すぎると、折り回復性を十分に具備しないおそれがあるので、封緘基材２の厚みは３０μｍ以上が好ましい。一方、封緘基材２が余りに厚いと、両側領域２１，２２を折り返すことが困難となる上、封緘ラベル１が嵩高くなり過ぎることから、封緘基材２の厚みは３００μｍ以下が好ましく、２００μｍ以下がより好ましい。
【００１９】
前記支持基材３は、折り曲げ可能な柔軟性を有するシートであれば特に限定されず、公知のシートを利用できる。封緘基材２としては、例えば、紙、合成紙、合成樹脂シート、発泡樹脂シート、不織布、及びこれらを２層以上積層した積層シートなどが挙げられる。
支持基材３の厚みは、特に限定されない。通常、支持基材３の厚みは、１０μｍ〜３００μｍである。
【００２０】
封緘基材２及び支持基材３には、所望のデザインが印刷されていてもよい。
好ましくは、封緘基材２の中間領域２３の表面と裏面とは、その外観が異なっている。例えば、中間領域２３の表面と中間領域２３の裏面は、色彩が異なっていたり（表面が白色で且つ裏面が赤色などのように、異なる色彩が付されている場合など）、又は、異なる文字や記号が印刷されている。
或いは、好ましくは、封緘基材２の中間領域２３の表面と、封緘基材２の第１側領域２１及び第２側領域２２の表面又は支持基材３の表面とは、その外観が異なっている。例えば、中間領域２３の表面と支持基材３の表面は、色彩が異なっていたり、又は、異なる文字や記号が印刷されている。
【００２１】
中間領域２３の表面と中間領域２３の裏面の外観が異なっていることにより、中間領域２３が切断されることにより生じる切断片が反り上がった際、その切断片の裏面側（中間領域２３の裏面側）が目に付きやすく、切断片の反りをより判別しやすくして、不正開封の有無を容易に発見できるようになる。
また、中間領域２３の表面と第１側領域２１及び第２側領域２２の表面又は支持基材３の表面の外観が異なっていることにより、中間領域２３が切断されることにより生じる切断片が反り上がった際、第１側領域２１及び第２側領域２２の表面又は支持基材３の表面が目に付きやすく、切断片の反りをより判別しやすくして、不正開封の有無を容易に発見できるようになる。
【００２２】
封緘基材２の面内には、２つの折り目５１，５２（第１折り目５１及び第２折り目５２）が形成され、その折り目５１，５２において、封緘基材２の両側領域２１，２２（第１側領域２１及び第２側領域２２）が中間領域２３の裏面側にそれぞれ折り返されている。
２つの折り目５１，５２は、それぞれ封緘基材２の他方向Ｙと略平行に延びており、その２つの折り目５１，５２の間の領域が中間領域２３とされている。
第１折り目５１から封緘基材２の第１側縁２ａまでの領域が第１側領域２１とされ、第２折り目５２から封緘基材２の第２側縁２ｂまでの領域が第２側領域２２とされている。
【００２３】
第１側領域２１及び第２側領域２２は、第１折り目５１及び第２折り目５２において約１８０度に山折りされ、中間領域２３の裏面側にそれぞれ重ねられている。
第１側領域２１及び第２側領域２２を折り返す箇所（前記２つの折り目５１，５２）に対応する封緘基材２に、ミシン目線やＶノッチ線などの刻設線を形成してもよい（図示せず）。もっとも、このような刻設線の形成は、封緘基材２の折り回復性を低下させる要因になるので、刻設線を形成せずに、封緘基材２を折り返すことが好ましい。
【００２４】
第１側領域２１と第２側領域２２は、互いに接触しないように折り返されている。従って、封緘基材２の第１側縁２ａと第２側縁２ｂは、向かい合っているが、両縁２ａ，２ｂは隙間を有して離れており、第１側縁２ａと第２側縁２ｂの隙間から中間領域２３の裏面が臨出している。
前記隙間が設けられていることにより、その隙間において、中間領域２３を折り易くなるので、包装体の角部に跨って封緘ラベル１を綺麗に貼付できる。
【００２５】
もっとも、封緘基材２の第１側縁２ａと第２側縁２ｂが当接するように（向かい合って接するように）、第１側領域２１と第２側領域２２が折り返されていてもよいし、或いは、第１側領域２１の端部と第２側領域２２の端部が重なるように、第１側領域２１と第２側領域２２が折り返されていてもよい（何れも図示せず）。
【００２６】
第１側領域２１及び第２側領域２２の裏面は、支持基材３の表面に重ねられ、接着部６を介して、支持基材３の表面に接着されている。
接着部６の形成材料は、両側領域２１，２２と支持基材３とを接着できるものであれば特に限定されない。例えば、接着部６の形成材料としては、公知の粘着剤、接着剤又は溶剤などが挙げられる。前記粘着剤などを両側領域２１，２２又は支持基材３の所定範囲に塗工することにより、接着部６において両側領域２１，２２と支持基材３を接着できる。
なお、封緘基材２と支持基材３が、例えば、熱溶着可能な材質である場合には、両側領域２１，２２と支持基材３の所定範囲を熱溶着で接着することも可能である。
【００２７】
第１側領域２１及び第２側領域２２は、それぞれ、その裏面全体が支持基材３に接着されていてもよいし、或いは、その裏面の一部分が支持基材３に接着されていてもよい。
なお、第１側領域２１の端部と第２側領域２２の端部が重なるように、第１側領域２１と第２側領域２２が折り返されている場合には、両端部の重なり部分が接着されていてもよいし、或いは、接着されていなくてもよい。例えば、第１側領域２１の端部と中間領域２３の間に第２側領域２２の端部が介在するように、第１側領域２１と第２側領域２２が折り返されている場合には、第１側領域２１の端部の表面と第２側領域２２の端部の裏面（両端部の重なり部分）が接着されていてもよいし、或いは、接着されていなくてもよい（図示せず）。
【００２８】
好ましくは、第１側領域２１及び第２側領域２２の各裏面は、折り目５１，５２又はその近傍を含む所定範囲において、支持基材３に接着される。第１側領域２１及び第２側領域２２が折り目５１，５２又はその近傍において支持基材３に接着されていることにより、中間領域２３の折り回復性を高めることができる。
本実施形態においては、図２〜図４に示すように、第１折り目５１及び第２折り目５２の各近傍から所定範囲にそれぞれ接着部６が設けられ、その接着部６を介して、第１側領域２１の裏面の一部分及び第２側領域２２の裏面の一部分が支持基材３にそれぞれ接着されている。
【００２９】
また、第１側領域２１及び第２側領域２２の各表面と中間領域２３の裏面は、非接着とされており、さらに、支持基材３の表面と中間領域２３の裏面も非接着されている。従って、中間領域２３は、他の部分に規制を受けない自由面となっている。
【００３０】
また、封緘基材２の中間領域２３又は両側領域２１，２２には、部分的な切込み線７１が形成されていることが好ましく、さらに、その切込み線７１は、接着部６及びその近傍を含む範囲に対応して設けられていることが好ましい。この切込み線７１は、封緘基材２の面内に端部を有する有端状の切込み線であり、封緘基材２の厚み方向に貫通している。
本実施形態では、前記切込み線７１は、中間領域２３に複数形成され、さらに、中間領域２３の裏面側に重ねられた第１側領域２１及び第２側領域２２にも貫通するように形成されている。
【００３１】
切込み線７１の平面視形状は、特に限定されず、規則的な形状でもよいし、無秩序な形状でもよい。封緘基材２を支持基材３から不正に引き剥がそうとした際に、封緘基材２が容易に分断し得るので、切込み線７１は、中間領域２３の縁にまで形成されていることが好ましい。図示例では、切込み線７１は、中間領域２３の縁でもある折り目５１，５２にまで形成されている。なお、折り目５１，５２の以外の中間領域２３の縁には、折り目５１，５２以外も含まれるが、前記折込み線７１がその折り目５１，５２の以外の縁から形成されていてもよい（図示せず）。
封緘基材２に切込み線７１が形成されていることにより、誰かが封緘基材２を支持基材３から剥がそうとしたときに（つまり、接着部６を剥がすときに）、切込み線７１において封緘基材２が無秩序に分断される。このため、剥離に起因する不正開封を一見して判別することができる。
【００３２】
なお、前記切込み線７１は、中間領域２３及び両側領域２１，２２の双方に形成されている場合に限定されず、上記効果を損なわない範囲で、何れか一方にのみ形成されていてもよい。また、後述する隠し印刷に加えて、必要に応じて、前記切込み線７１を支持基材３に設けてもよいし、前記切込み線７１を封緘基材２及び支持基材３に設けてもよい。支持基材３に前記切込み線７１を形成する場合には、支持基材３の縁から設けることが好ましい。
【００３３】
さらに、封緘基材２の中間領域２３の面内には、他方向Ｙに延びる折り補助線７２が形成されている。この折り補助線７２は、中間領域２３を折り易くするために設けられている。折り補助線７２としては、例えば、ミシン目線やＶノッチ線などが挙げられる。
この折り補助線７２は、中間領域２３の一方向Ｘにおける略中央部（第１折り目５１と第２折り目５２の間の略中央部）に少なくとも１本設けられる。好ましくは、折り補助線７２は、複数本設けられる。図示例では、他方向Ｙに延び且つ一方向Ｘに略平行に配列された３本の折り補助線７２が、中間領域２３の面内に形成されている。
【００３４】
支持基材３の裏面には、封緘ラベル１を包装体に貼付するため、貼着部４が設けられている。
貼着部４は、支持基材３の裏面のうち、少なくとも両側部に設けられる。支持基材３の両側部は、支持基材３の一方向Ｘの両側の端部である。貼着部４が支持基材３の少なくとも両側部に設けられていることにより、封緘ラベル１を包装体に貼付した際に、封緘ラベル１の角部が捲れることを防止できる。
図示例では、貼着部４は、支持基材３の裏面の全体に設けられている。
【００３５】
貼着部４の形成材料は、包装体に貼着可能なものであれば特に限定されない。例えば、貼着部４の形成材料としては、公知の粘着剤や接着剤などが挙げられる。前記粘着剤などの形成材料を、支持基材３の裏面の所定範囲に塗工することにより、貼着部４を形成できる。
【００３６】
また、貼着部４には、封緘ラベル１を貼着部４において引き剥がしたときに、所望の文字（例えば、開封済など）が現れる隠し印刷が具備されていてもよい。かかる隠し印刷を貼着部４に具備させることにより、封緘ラベル１を剥離したときに支持基材３の一部分３ａに隠し印刷が現れるので、封緘ラベル１の不正剥離を容易に発見できる。かかる隠し印刷の形成方法は、公知の方法を採用できるので、ここではその説明を省略する。
【００３７】
本発明の封緘ラベル１は、通常、離型紙に仮貼付されて提供される。もっとも、貼着部４が感熱性接着剤などによって形成されている場合には、封緘ラベル１を離型紙に仮貼付せずに提供することも可能である。
提供された封緘ラベル１は、様々な包装体の封緘に使用される。
図５及び図６は、角部を有する包装体に本発明の封緘ラベルが貼付された状態を示す図である。
本発明の封緘ラベル１を貼付する包装体１０は、特に限定されない。例えば、包装体１０は、医薬品、食品、化粧品などの商品（図示せず）と、その商品を収納する包装箱又は包装袋などの包材９と、を有する。
【００３８】
図５及び図６に示す包装体１０は、包材としての包装箱９の内部に商品が入れられたものである。包装箱９は、開口部を有する本体９１と、前記開口部を開閉するための蓋体９２と、を有する。
本体９１と蓋体９２によって角部９ａが形成されており、本体９１と蓋体９２の間には、隙間９ｂが存在している。
【００３９】
この角部９ａの稜線と封緘基材２の他方向Ｙが略平行となるように、封緘ラベル１は、貼着部４を介して、角部９ａに跨って貼付される。
特に、中間領域２３に形成された折り補助線７２が包装体１０の角部９ａの稜線に対応するように、封緘ラベル１を貼付することが好ましい。中間領域２３は折り補助線７２に従って折れ曲がり易くなっているので、中間領域２３が包装体１０から浮き上がることなく、封緘ラベル１を包装体１０に綺麗に貼付できる。
また、封緘基材２は支持基材３に接着されているので、封緘ラベル１を貼付する際に、封緘基材２の両側領域２１，２２が捲れたり或いは折れ曲がることなく、封緘ラベル１を所定位置に綺麗に貼付できる。
【００４０】
包装体１０に貼付された封緘ラベル１を、図７に示すように、誰かが鋭利な刃物で切断することがある。例えば、悪意者が、カミソリのような薄刃を、包装体１０の本体９１と蓋体９２との境界に存在する隙間９ｂに差し入れて、中間領域２３を含む封緘ラベル１を隙間９ｂに沿って切断する。
この点、本発明の封緘ラベル１においては、封緘基材２の両側領域２１，２２が中間領域２３の裏面側に折り返されているので、中間領域２３が切断されることによって生じる２つの切断片２３１，２３２が、折り回復力の反発によって包装体１０から反り上がる。
よって、不正に開封されたことを一見して判別できる。
【００４１】
本発明の封緘ラベル１を製造する際には、従来のように引張りテンションを掛けて基材を積層する必要性がないので、その製造も容易である。また、例えば、封緘ラベル１を離型紙に仮貼付して保管・搬送しても、その間に封緘ラベル１が離型紙から不用意に剥がれることもない。
【００４２】
さらに、上記封緘ラベル１の貼着部４に隠し印刷が具備されている場合には、貼着部４において封緘ラベル１を包装体１０から剥がすと、文字などの隠し印刷表示が支持基材３の表面に現れる。
上記実施形態の封緘ラベル１は、支持基材３の一部分３ａが封緘基材２によって覆われておらず、支持基材３の表面の一部分３ａが露出しているので、その一部分３ａに現れた隠し印刷表示を視認できる。このため、切断によらずに、封緘ラベル１を不正に剥離したときにも、その不正開封を一見して判別することができる。
【００４３】
［第２実施形態］
第２実施形態は、支持基材が設けられていない封緘ラベルに係る。以下、第２実施形態の封緘ラベルを説明するが、上記第１実施形態と同様の構成及び効果については、その説明を省略し、（その説明をしたものとして）用語及び符号を援用する場合がある。
【００４４】
図８及び図９において、第２実施形態の封緘ラベル１は、封緘基材２と貼着部４とを有する。
封緘基材２は、上記第１実施形態と同様に、その両側領域２１，２２が第１折り目５１及び第２折り目５２において中間領域２３の裏面側に折り返されている。
中間領域２３の裏面は、両側領域２１，２２に接着されておらず且つ貼着部４も具備しておらず、非貼着部とされている。
そして、折り返された両側領域２１，２２の裏面に貼着部４が設けられている点において、上記第１実施形態とは異なっている。
【００４５】
本実施形態において、貼着部４は、両側領域２１，２２の裏面の一部分又は全体に設けられる。特に、貼着部４は、図示したように、両側領域２１，２２の裏面のうち、折り目５１，５２又はその近傍を含む所定範囲に少なくとも設けられていることが好ましい。貼着部４が折り目５１，５２又はその近傍を含んで設けられていることにより、中間領域２３の折り回復性を高めることができる。
【００４６】
本実施形態の封緘ラベル１は、封緘基材２の両側領域２１，２２の裏面に設けられた貼着部４を介して包装体１０に貼付される。
本実施形態の封緘ラベル１も第１実施形態と同様に、中間領域２３の切断によって生じる２つの切断片２３１，２３２が、折り回復力の反発によって包装体から反り上がるので、不正開封を一見して判別できる。
【００４７】
次に、第２実施形態の変形例を説明する。
図１０に示す封緘ラベル１は、第１側領域２１の端部と第２側領域２２の端部が重なるように第１側領域２１と第２側領域２２が折り返され且つその重なり端部が接着されている。
第１側領域２１と第２側領域２２の重なり端部は、例えば、上記第１実施形態で示したような接着部６を介在させることにより接着できる。
【００４８】
また、図１１に示す封緘ラベル１は、封緘基材２の第１側縁と第２側縁が一体的に繋がっている。換言すると、図１１の封緘ラベル１は、無端筒状の封緘基材２を対向する２つの折り目５１，５２において折り曲げて偏平状にしたものである。この封緘ラベル１も、封緘基材２の中間領域２３と、その中間領域２３に折り目５１，５２において折り返された両側領域２１，２２と、両側領域２１，２２の裏面に設けられた貼着部４と、を有する。
図１０及び図１１の第２実施形態の封緘ラベル１において、貼着部４は、折り目５１，５２又はその近傍を含む所定範囲に設けられる場合に限られず、両側領域２１，２２の裏面の全体などに設けてもよい。
【００４９】
なお、図１０に示すような第１側領域２１の端部と第２側領域２２の端部を接着すること、又は、図１１に示すような無端筒状の封緘基材２を２つの折り目５１，５２において折り曲げることを、上記第１実施形態の封緘基材２に適用してもよい。
【００５０】
図８及び図９に示す封緘ラベル１は、支持基材３を有さず且つ封緘基材２の両側領域２１，２２の端部が自由端であるので、封緘ラベル１を包装体１０に貼付する際に、両側領域２１，２２が捲れたり或いは折れ曲がったりするおそれがある。
この点、図１０及び図１１のように、両側領域２１，２２が繋がっている封緘ラベル１であれば、貼付時に両側領域２１，２２の端部が捲れ難く、封緘ラベル１を所定位置に綺麗に貼付できる。
【００５１】
［他の実施形態］
上記第１及び第２実施形態において、封緘基材２の両側領域２１，２２が折り返されているが、これに限定されず、両側領域２１，２２のうち一方の側領域が折り返され且つ他方の側領域が折り返されずに中間領域２３と同一平面上にあってもよい。
例えば、図１２は、第１実施形態と同様に支持基材３を有する封緘ラベル１であって、第１側領域２１が折り返され且つ第２側領域２２が折り返されていない封緘ラベルを示している。
例えば、図１３は、第２実施形態と同様な支持基材を有さない封緘ラベル１であって、第２側領域２２が折り返され且つ第１側領域２１が折り返されていない封緘ラベルを示している。
【００５２】
これらの封緘ラベル１は、一方の側領域のみが折り返されているが、封緘基材２の中間領域２３を切断してそれが２つの切断片に分断された際には、その一方の側領域に繋がる切断片が、反発によって包装体から反り上がる。このため、不正開封を一見して判別できる。もっとも、上記第１及び第２実施形態のように、両側領域２１，２２が折り返されていれば、２つの切断片が反り上がるので、不正開封の有無をより判別し易くなるので好ましい。
【００５３】
また、上記第１及び第２実施形態において、第１側領域２１及び第２側領域２２は中間領域２３に対して第１折り目５１及び第２折り目５２において山折りされているが（折り目５１，５２が外側に出て折り返されているが）、これに併用して、谷折りされている部分を設けてもよい。
具体的には、図１４及び図１５に示す封緘ラベル１は、第１側領域２１及び第２側領域２２が中間領域２３に対して第１折り目５１及び第２折り目５２において山折りされている部分８１と、第１側領域２１及び第２側領域２２が中間領域２３に対して谷折りされている部分８２と、を有する。
【００５４】
谷折り部８２は、例えば、第１折り目５１及び第２折り目５２の中途部から内側に向かって所定長さ分だけ、中間領域２３及び両側領域２１，２２を２本の切断線に沿って切断し、その２本の切断線で囲われた両側の部分を、内側に折り畳むことによって形成されている。この２つの谷折り部８２，８２の折り目５３，５４は、第１折り目５１及び第２折り目５２に対向している。そして、図１５に示すように、山折り部８１と谷折り部８２は、互いに反対に向いて折り畳まれている。
かかる谷折り部８２を設けることにより、中間領域２３の折り回復性の向上が図られる。
【００５５】
上記第１及び第２実施形態において、封緘ラベル１を包材９の角部９ａに跨って貼付することを例示したが、本発明の封緘ラベル１は、角部９ａに跨って折り曲げて貼付する態様に限られず、例えば、図１６に示すように、包材９の平面的な部分に本発明の封緘ラベル１を貼り付けてもよい。
【符号の説明】
【００５６】
１…封緘ラベル、２…封緘基材、２１…一方の側領域、２２…他方の側領域、２３…中間領域、３…支持基材、４…貼着部、５１，５２…折り目、６…接着部、９…包材、９ａ…包材の角部、１０…包装体
【図１】
0005793780.tif 000002
【図２】
0005793780.tif 000003
【図３】
0005793780.tif 000004
【図４】
0005793780.tif 000005
【図５】
0005793780.tif 000006
【図６】
0005793780.tif 000007
【図７】
0005793780.tif 000008
【図８】
0005793780.tif 000009
【図９】
0005793780.tif 000010
【図１０】
0005793780.tif 000011
【図１１】
0005793780.tif 000012
【図１２】
0005793780.tif 000013
【図１３】
0005793780.tif 000014
【図１４】
0005793780.tif 000015
【図１５】
0005793780.tif 000016
【図１６】
0005793780.tif 000017